(57)【特許請求の範囲】
【請求項１】
データ記録装置内の音声又は映像データセットの一部分へ迅速にアクセスするためのデータアクセスシステムであって、
ユーザ入力手段及びディスプレイと、
前記ディスプレイに文書を表示して前記入力手段によってユーザが前記文書にマークを書込むのを可能にし且つ前記書込まれたマークを時刻情報とともに第１インデックスに記録するエディタと、
前記データセットの記録の際に前記データ記録装置から出力されるインデックス情報を時刻情報とともに第２インデックスに記録する記録手段と、
前記文書に書込まれた前記マークをユーザが指定できるように該文書を前記ディスプレイに表示するブラウザとを包含し、
前記ブラウザは、ユーザによって指定された前記マークを前記第１インデックスに問合せて該指定マークに対応する前記時刻情報を探索するとともに、前記第１インデックスで探索した時刻情報を前記第２インデックスに問合せて、該時刻情報に対応する前記インデックス情報を探索するものであり、
前記探索したインデックス情報が前記データ記録装置に送られて、ユーザは、該ユーザによるマークが前記文書に書込まれたときの所望のデータセットへアクセスするのを可能にすることを特徴とするデータアクセスシステム。
【発明の詳細な説明】
【０００１】
【産業上の利用分野】
本発明は、データアクセスシステムに係り、より詳細には、ノートをとることに付随して通常データが記録されるようなシステムに係る。これらのノートそれ自体が、データへの選択的なアクセスを得るのに使用される。
【０００２】
【従来の技術】
セミナーやインタビューやミーティングにおいては、ノートをとるという簡単な行為が、重要な事項を筆者が記憶する上で助けとなることが認識されている。一方、ノートをとるためには、聴取者は、話し手から注意をそむけ、聞き取った情報又はそのとき得たアイデアをいかに符号化するか考え、そしてそれを書き留めるのに集中しなければならない。聴取者が話し手の脈絡をしばしば失うことに驚異を感じていない。今日では、多くの人々は、重要な事象について音声又は映像で記録しそして後で時間をかけて重要なアイデアを筆記するようにしている。音声又は映像記録の中から関心のある部分を探索することはしばしば時間のかかるやっかいな作業であり、このため、聴取者がわざわざテープから筆記しようとしたり最初の場所でわざわざ記録しようとしたりする気持ちが薄れる。
【０００３】
【発明が解決しようとする課題】
多くの場合、記録の必要性を予想することはできない。事象が起きた後に、又あるときは、それから長時間が経過した後に、それが必要になることがある。このような問題を克服するために、記憶という観点から、最終的に人間の実働日を１秒ごとに記録及び記憶することが技術的に可能となっている。この莫大で且つ拡張し続ける基礎的な記録から重要な情報片を探索することが大きな問題となってきている。
【０００４】
【課題を解決するための手段】
本発明は、半自動の高精度音声／映像インデックスツールを提供することによってこれらの問題を解消する。本発明は、音声及び映像記録へのアクセスを得ることについて説明するが、この分野に限定されるものではない。本発明は、コンピュータシステムのファイルや、電話の通話記録や、その他の時間刻印されたデータセットをアクセスするのにも適用できることが明らかである。
【０００５】
本発明は、特許請求の範囲に規定したデータアクセスシステムを提供する。
【０００６】
【実施例】
以下、添付図面を参照し、本発明の実施例を詳細に説明する。
【０００７】
図１に示す本発明の例は、ラップトップ・コンピュータ２と、ビデオ又は音声記録装置４とを組み合わせたものである。
【０００８】
図２に示す本発明の実施例においては、ラップトップ・コンピュータ２に代わって、スタイラス８又は他のグラフィック入力装置をもつノートパッドコンピュータ６がビデオ又は音声記録装置４に接続されている。スタイラス式の入力装置は、ユーザの入力手段としてポータブルコンピュータのキーボードに代わるものである。或いは又、ノートパッドコンピュータに入力用としてキーボード１０を接続してもよい。
【０００９】
いずれかの形式のコンピュータが、記録中に記録装置の進行を監視できるように記録装置に接続される。これを行えるようにするために、記録装置は、時間コードを発生し、あるいはコンピュータに使用できる他のインデックス情報を生成してもよい。更に、コンピュータは、記録装置を直接動作して、記録を行わせることを可能にし、要求に応じて特定のインデックス点から再生することを可能にする。いずれの状態においても、コンピュータは時間コード又はインデックス情報を見つけることができる。
【００１０】
図３に示す一般的なシステムでは、コンピュータは、文書エディタ式のユーザインターフェイスをユーザにもたらす。このインターフェイスは、ユーザの要求及びコンピュータハードウェアにもよるが、ワードプロセッサ、イラストレータ又はアプリケーションに特定のインターフェイスに類似したものである。ユーザインターフェイスは、新たな文書を形成したり記録を開始及び停止したりするコマンドを発生する。
【００１１】
新たな文書が形成され又は古い文書が呼び出され、そして記録が開始される。エディタ２２は、ユーザが、キーボード１０やスタイラス８やその他の入力装置を使用して、ブランクの文書２６上に描いたりタイプしたり又はスケッチしたりすることができるようにする。各マーク（又は指示：ペンストローク、文字、ボックス等の表示記号）が文書に記入されるときに、エディタ２２は、時間を刻印し、そしてそれを指示対時間刻印のインデックス１４に記憶する。ビデオフレームの時間刻印装置２０は、そのときに記録装置４から到着するインデックス情報３２を連続的に注目し、そしてそれに時間を刻印して、時間刻印対時間コードのインデックス１６に記憶する。時間刻印はユーザには見えず、上記指示についてのコンピュータの内部表示と共に記憶される。作業が終了すると、ユーザは前記の文書を蓄積して、その後の使用のため、２つのインデックスの内容と記録とを保存する。時間刻印を記録へのインデックスとして使用できるようにする方法であれば、時間刻印対時間コードのインデックスに代わって使用することができ、例えば、補間法や時間コード自体を使用することができる。
【００１２】
ユーザが記録の一部分を呼び出そうとするときには、適当な関連文書が検索され、ブラウザ２４によってディスプレイ３０に呼び出される。スタイラス８又はキーボード１０を用いて、ユーザは、丸をつけるかカーソルを置くか又は識別名をタイプすることによって文書上の１つ以上の指示を選択し、関連ビデオ部分を再生するようブラウザ２４に命令する。ブラウザ２４は、選択された１つ又は複数の指示を識別し、指示対時間刻印のインデックス１４内でその時間刻印を探すとともに、時間刻印対時間コードのインデックス１６内で同じ時間刻印を探し、そしてその時間刻印により得られた時間コードにより示される、記録部分を再生する。かくて、ユーザは、ビデオモニタ２８上に、先にマークを付けたときに何が記録されたかを見ることができる。
【００１３】
指示対時間刻印、及び時間刻印対時間コードのインデックスを、１つの指示対時間コードのインデックスに結合することもできる。
【００１４】
ユーザは、興味あるアイデア、議題や話し手の変更、等を指示するマークを文書に入れるために速記表示を開発することが予想される。又、ユーザは、議題が起きたときにキーワードをタイプするか又は手書きし、そしてその議題の方向において主旨が変わるたびに追加マークをその付近に加えることが予想される。このように、同じ議題に関連したセミナーの全ての部分を聴くために、議題キーワードの位置にある全てのマークを丸で囲むだけでよい。
【００１５】
かくて、本発明は、データ記録に迅速にアクセスするための簡単で、安価で、軽量な低電力装置を提供することが明らかであろう。
【図面の簡単な説明】
【図１】ラップトップコンピュータを用いた本発明の１形態を示す概略図である。
【図２】スタイラスをもつノートパッドコンピュータを用いた本発明の別の形態を示す概略図である。
【図３】本発明のアーキテクチャの１形態を示す概略図である。
【符号の説明】
２  ラップトップコンピュータ
４  ビデオ又は音声記録装置
８  スタイラス
１０  キーボード
１４  指示対時間刻印のインデックス
１６  時間刻印対時間コードのインデックス
２０  ビデオフレーム時間刻印装置
２２  エディタ
２４  ブラウザ
２６  文書
２８  ビデオモニタ
３０  ディスプレイ
【図１】
0003614443.tif 000002
【図２】
0003614443.tif 000003
【図３】
0003614443.tif 000004